(57)【特許請求の範囲】
【請求項１】
内容物を収納する容器本体と、それに嵌合する、振出し口と案内孔が穿設された振出し部を有する蓋体と、裏面に所定の間隔をあけて左右対象に垂直壁の外側に水平壁を連設した脚体を有し、該脚体が前記案内孔に係合してスライドし前記振出し口を開閉するスライドパーツとからなる振出し口付容器において、前記蓋体の上面に、それに穿設された案内孔の端から開口時のスライド方向に短い凸部リブを設け、前記スライドパーツの裏面に設けられた脚体の端よりスライドパーツの端まで延びる細長嵌合溝を設けてなることを特徴とする振出し口付容器。
【請求項２】
前記短い凸部リブが細長嵌合溝に嵌合してスライドすることを特徴とする請求項１記載の振出し口付容器。
【発明の詳細な説明】
【０００１】
【発明の属する技術分野】
本発明は、粒状の菓子類や医薬品の振出し口付容器に関するものであり、特に、振出し口が穿設された蓋体とそれに係合してスライドし、振出し口を開閉するスライドパーツとでなる振出し口付容器に関する。
【０００２】
【従来の技術】
従来より、携帯に便利な粒状の菓子類や医薬品を一粒づつ振り出して口に入れる振出し口付容器が知られ、その中でも振出し口が穿設された蓋に係合してスライドし、振出し口を開閉するスライドパーツを有するプラスチック製の振出し口付容器が広く普及している。
【０００３】
上記の容器蓋体にスライドするスライドパーツにて振出し口を開閉するものとして、例えば実開昭６０−１２３３７７号公報では、図５（ａ）の上面斜視図に示すように、振出し口（３２）を有する蓋体（３０）表面に凹部案内溝（３９）を設け、この凹部案内溝（３９）に振出し口（３２）を開閉するスライドパーツ（４０）を係合してスライドさせるもので、スライドパーツ（４０）のスライド限度位置を設定するために、図５（ｂ）の蓋体裏面斜視図に示すように、蓋体（３０）の振出し口（３２）の付近に細長案内孔（９）を穿設しその両端部に前方突起（１３）、後方突起（１４）を設け、この細長案内孔（９）にスライドパーツ（４０）裏面に設けたスライド部材（１２）を係合しスライドさせ、かつ両突起（１３，１４）により停止させる構造としたものである。
【０００４】
また、実開平４−１１２０７２号公報では、図６（ａ）の蓋体上面斜視図に示すように、振出し口（３２）と案内孔（３４）を穿設した凹部案内溝（３９）でなる振出し部（Ａ）を有する蓋体（３０）と、図６（ｂ）の側断面図に示すように、この凹部案内溝（３９）に係合させ、さらに裏面に所定の間隔をあけて左右対称に垂直壁（４２）の外側に水平壁（４４）を連設した一対の脚体（４６）を設け、これら一対の脚体（４６）を前記蓋体（３０）の案内孔（３４）に係合させスライドし振出し口を開閉するスライドパーツ（４０）とからなる構造としたものである。
【０００５】
【発明が解決しようとする課題】
しかし、上記いずれの振出し容器においても、蓋体（３０）の表面の凹部案内溝（３９）にスライドパーツ（４０）を係合させたもので、容器のデザイン上から物足りないものであり、凹部案内溝（３９）のない平面にスライドパーツ（４０）を設けてスライドさせ、デザイン効果に優れた構造の振出し口付容器が要望されていた。
【０００６】
そこで上記要望を考慮して、例えば前記考案の図６（ａ）および（ｂ）に示す容器で上面が平坦な蓋体（３０）の案内孔（３４）にスライドパーツ（４０）裏面の脚体（４６）を係合させスライドする構造としたものが考えられ、発明者らは試みたが、スライドパーツ（４０）は凹部案内溝（３９）がないので比較的短い脚体（４６）の係合だけで支えられているため左右に「がたつき」が発生し、そのセットに安定性のないものであった。
【０００７】
本発明は、かかる従来技術の問題点と要望点を解決するものであり、その課題とするところは、容器本体と、振出し口が穿設された蓋体とそれに係合してスライドし、振出し口を開閉するスライドパーツとでなる振出し口付容器において、デザイン性に優れ、かつスライドパーツに左右の「がたつき」がなくセット安定性のある振出し口付容器を提供することにある。
【０００８】
【課題を解決するための手段】
本発明に於いて上記課題を達成するために、まず請求項１の発明では、内容物を収納する容器本体と、それに嵌合する、振出し口と案内孔が穿設された振出し部を有する蓋体と、裏面に所定の間隔をあけて左右対象に垂直壁の外側に水平壁を連設した脚体を有し、該脚体が前記案内孔に係合してスライドし前記振出し口を開閉するスライドパーツとからなる振出し口付容器において、前記蓋体の上面に、それに穿設された案内孔の端から開口時のスライド方向に短い凸部リブを設け、前記スライドパーツの裏面に設けられた脚体の端よりスライドパーツの端まで延びる細長嵌合溝を設けてなることを特徴とする振出し口付容器としたものである。
【０００９】
また、請求項２の発明では、前記短い凸部リブが細長嵌合溝に嵌合してスライドすることを特徴とする請求項１記載の振出し口付容器としたものである。
【００１０】
【発明の実施の形態】
以下本発明の実施の形態を説明する。
本発明の振出し口付容器は、図３の斜視図に示すように、内容物を収納する容器本体（５０）と、それに嵌合する振出し口（３２）が穿設された蓋体（３０）と、スライドして振出し口（３２）を開閉するスライドパーツ（４０）とからなる振出し口付容器（１）であって、さらに詳しくは、前記蓋体（３０）は、図１（ａ）の上面斜視図に示すように、振出し口（３２）と案内孔（３４）が穿設された振出し部を有するものであり、前記スライドパーツ（４０）は、図１（ｂ）の裏面斜視図に示すように、裏面に所定の間隔をあけて左右対象に垂直壁（４２）の外側に水平壁（４４）を連設した脚体（４６）を有するものである。
【００１１】
そこで本発明は、図２（ａ）の側断面図に示すように、前記蓋体（３０）とそれに穿設された案内孔（３４）に、前記裏面に有する該脚体（４６）が係合してスライドして振出し口を開閉するスライドパーツ（４０）とからなる振出し口付容器（１）において、図１（ａ）に示すように、前記蓋体（３０）の上面に、それに穿設された案内孔（３４）の端から開口時のスライド方向（Ｐ）に短い凸部リブ（３８）を設け、図１（ｂ）に示すように、前記スライドパーツ（４０）の裏面に設けられた脚体（４６）の端よりスライドパーツの端まで延びる細長嵌合溝（４８）を設けてなるもので、図２（ｂ）の側断面図に示すように、前記短い凸部リブ（３８）が細長嵌合溝（４８）に嵌合してスライドする振出し口付容器（１）である。
【００１２】
上記容器本体（５０）、蓋体（３０）、スライドパーツ（４０）の形状は、図３の斜視図に示すように、いずれも楕円形状であるが、略長方形状でも細長多角形状でもよい。また、蓋体（３０）に穿設される振出し口（３２）の形状も図面では円形状であるが、略四角もしくは多角形状でもよく、これら形状を特に限定するものではない。
【００１３】
また、図１（ａ）に示す案内孔（４２）の長さは、スライドパーツのスライド距離を考慮すれば図１（ｂ）に示す脚体（４６）を構成する垂直壁（４２）の長さの約２倍かそれより短い値が好ましく、また図１（ａ）に示す蓋体（３０）の上面に設ける短い凸部リブ（３８）の長さは、図１（ｂ）に示す前記スライドパーツ（４０）裏面に設ける垂直壁（４２）の長さの約１／２程度が適切な値であり、それより短すぎると、スライドパーツ（４０）の「がたつき」を抑えることができず、長すぎると、スライドパーツ（４０）をスライドさせ振出し口（３２）を塞いだときにスライドパーツ（４０）からはみだして見え外観上好ましくない。
【００１４】
なお図１（ｂ）に示すスライドパーツ（４０）の裏面に設けられた脚体（４６）の幅とほぼ同じ間隔をあけて、図１（ａ）に示すように、蓋体（３０）の裏面に前記脚体の長さ方向に平行にして延びる細長リブ（４９）を設けてあるが、これは菓子類等内容物がこすれて生じた粉がスライドパーツの脚体（４６）と案内孔（３４）との間に入り込みスムーズなスライドを妨げることを防ぐためのもので、設けた方が好ましいが特に設けなくとも構わない。
【００１５】
上記構成の振出し口付容器（１）は、図３に示すように、スライドパーツ（４０）を案内孔（３４）に沿って振出し口（３２）と反対側にスライドすると振出し口（３２）が開き、逆方向へスライドさせると振出し口（３２）が塞がれ閉じるものであり、例えば図５（ａ）に示すような従来の振出し口付容器のように蓋体（３０）の凹部案内溝（３９）にスライドパーツ（４０）を係合させず、蓋体（３０）の平坦な面をスライドする構成としたので、デザイン性に優れた振出し口付容器とすることができる。
【００１６】
また、蓋体（３０）に穿設された案内孔（３４）に、スライドパーツ（４０）の裏面に設けた脚体（４６）が係合してスライドし、かつ前記蓋体（３０）の上面に短い凸部リブ（３８）を設け、前記スライドパーツ（４０）の裏面に細長嵌合溝（４８）を設けて、前記短い凸部リブ（３８）が細長嵌合溝（４８）に嵌合してスライドするようにしたので、スライドパーツ（４０）に左右の「がたつき」がなく、そのセットに安定性のある振出し口付容器とすることができる。
【００１７】
以上の本発明の振出し口付容器（１）は、ポリプロピレンやポリエチレンなどの樹脂を用い、射出成形法によって得ることのできるプラスチック製の容器である。
【００１８】
上記本発明の振出し口付容器（１）の用途は、粒状または顆粒状の菓子類やビタミン剤等栄養剤を含む医薬品を収納し、一粒づつ振出して飲食等する携帯用容器として便利に用いることができる。
【００１９】
【発明の効果】
本発明は以上の構成であるから、下記に示す如き効果がある。
即ち、内容物を収納する容器本体と、それに嵌合する、振出し口と案内孔が穿設された振出し部を有する蓋体と、裏面に所定の間隔をあけて左右対象に垂直壁の外側に水平壁を連設した脚体を有し、該脚体が前記案内孔に係合してスライドし前記振出し口を開閉するスライドパーツとからなる振出し口付容器であって、従来の振出し口付容器のように蓋体の凹部案内溝にスライドパーツを係合させず、蓋体の平坦な面をスライドする構成としたので、デザイン性に優れた振出し口付容器とすることができる。
【００２０】
また、前記蓋体の上面に、それに穿設された案内孔の端から開口時のスライド方向に短い凸部リブを設け、前記スライドパーツの裏面に設けられた脚体の端よりスライドパーツの端まで延びる細長嵌合溝を設けてなり、前記短い凸部リブが細長嵌合溝に嵌合してスライドする構成としたので、スライドパーツに左右の「がたつき」がなく、そのセットに安定性のある振出し口付容器とすることができる。
【００２１】
従って本発明は、粒状または顆粒状の菓子類やビタミン剤等医薬品を収納し振出して飲食等する携帯用容器の如き用途において、優れた実用上の効果を発揮する。
【図面の簡単な説明】
【図１】本発明の振出し口付容器を構成する蓋体とスライドパーツの一実施の形態を示す斜視図であり、
（ａ）は、蓋体の上面から見た斜視図であり、
（ｂ）は、スライドパーツの裏面から見た斜視図である。
【図２】本発明の振出し口付容器を構成する蓋体とスライドパーツの一実施の形態を示す側断面図であり、
（ａ）は、蓋体の案内孔にスライドパーツの脚体が係合した一実施の形態を表したものであり、
（ｂ）は、スライドパーツの細長嵌合溝に蓋体の短い凸部リブが嵌合した一実施の形態を説明する図である。
【図３】本発明の振出し口付容器の一実施の形態を斜視図様概略図で表した説明図である。
【図４】従来の振出し口付容器の一事例を説明する図であり、
（ａ）は、その全体を説明する斜視図であり、
（ｂ）は、それを構成する蓋体を裏面から見た斜視図である。
【図５】従来の振出し口付容器の他の一事例を説明する図であり、
（ａ）は、容器本体とそれに嵌合した蓋体を説明する斜視図であり、
（ｂ）は、その蓋体の案内孔にスライドパーツの脚体が係合し、かつ蓋体の案内溝にスライドパーツが係合した一事例を説明する側断面図である。
【符号の説明】
１‥‥振出し口付容器
９‥‥細長案内孔
１２‥‥スライド部材
１３‥‥前方突起
１４‥‥後方突起
３０‥‥蓋体
３２‥‥振出し口
３４‥‥案内孔
３９‥‥凹部案内溝
４０‥‥スライドパーツ
４２‥‥垂直壁
４４‥‥水平壁
４６‥‥脚体
４８‥‥細長嵌合溝
４９‥‥細長リブ
５０‥‥容器本体
Ｐ‥‥スライド方向
【図１】
0003671735.tif 000002
【図２】
0003671735.tif 000003
【図３】
0003671735.tif 000004
【図４】
0003671735.tif 000005
【図５】
0003671735.tif 000006